【手続補正書】
【提出日】平成20年1月7日(2008.1.7)
【手続補正１】
【補正対象書類名】明細書
【補正対象項目名】特許請求の範囲
【補正方法】変更
【補正の内容】
【特許請求の範囲】
【請求項１】
ループ長およびブリッジタップ長推定システムであって、以下を備えたもの：
伝送ラインに対するチャンネルインパルス応答を決定するチャンネルインパルス応答装置と；
理論的チャンネルインパルス応答を決定するモデル化装置と；
前記チャンネルインパルス応答と前記理論的チャンネルインパルス応答との比較に基づきループ長および少なくともひとつのブリッジタップ長を決定するループ長およびブリッジタップ決定装置。
【手続補正２】
【補正対象書類名】明細書
【補正対象項目名】０００６
【補正方法】変更
【補正の内容】
【０００６】
本発明は、伝送ライン上のループ長、ブリッジタップ数、およびブリッジタップ長を、容易に利用可能なモデムデータから推定するためのシステムおよび方法を説明する。ループ長、ブリッジタップ数、およびブリッジタップ長は、伝送ラインの測定周波数領域チャンネルインパルス応答を、マルチセクションとマルチブリッジタップで構成される伝送ラインのモデルと比較することによって推定できる。次いで、ライン状態を説明する診断および試験情報は、例えば、同封して出願され、その全体を引用して本明細書中に組込む同時係属中のAttorney Docket第081513.00004号で説明されるように、診断リンクモード中の２台のトランシーバによって交換できる。
本発明のいくつかの特徴を以下に示す。
(1)ループ長およびブリッジタップ長推定システムであって、以下を備えたもの：
伝送ラインに対するチャンネルインパルス応答を決定するチャンネルインパルス応答装置と；
理論的チャンネルインパルス応答を決定するモデル化装置と；
前記チャンネルインパルス応答と前記理論的チャンネルインパルス応答との比較に基づきループ長および少なくともひとつのブリッジタップ長を決定するループ長およびブリッジタップ決定装置。
(2)上記(1)のシステムであって、
前記比較は、エラー最小化関数に基づく。
(3)上記(2)のシステムであって、
前記エラー最小化関数は、最小二乗最小化である。
(4)上記(1)のシステムであって、
更に、ＣＰＥモデムの送信インピーダンスおよびＣＯモデムの受信インピーダンスの少なくとも一つを決定するインピーダンス決定装置を備える。
(5)上記(1)のシステムであって、
更に、ＣＰＥモデムの識別子およびＣＯモデムの識別子の少なくとも一つを決定するモデム識別子決定装置を備える。
(6)上記(1)のシステムであって、
前記理論的チャンネルインパルス応答は、負荷およびソースインピーダンスを表す変数を含む。
(7)上記(1)のシステムであって、
前記チャンネルインパルス応答は、測定された残響信号に基づき推定される。
(8)上記(1)のシステムであって、
前記伝送ラインは、少なくとも一つのワイヤ口径および少なくともひとつのブリッジタップを備える。
(9)上記(1)のシステムであって、
前記伝送ラインは、多数搬送波変調通信のために使用される。
(10)伝送ラインに対するループ長および少なくともひとつのブリッジタップを決定するための方法であって、以下を含む：
チャンネルインパルス応答を推定するステップと；
理論的チャンネルインパルス応答を決定するステップと；
前記理論的チャンネルインパルス応答と前記推定チャンネルインパルス応答との間の差を監視するステップと；
エラー最小化関数に基づき前記ループ長および少なくともひとつのブリッジタップを決定するステップ。
(11)上記(10)の方法であって、
更に、残響信号に基づき前記伝送ラインの伝達関数を決定するステップを含む。
(12)上記(11)の方法であって、
前記伝達関数は、前記残響信号の所定数の継続フレームを平均することに基づき決定される。
(13)上記(10)の方法であって、
更に、少なくとも一つのワイヤ口径に対して周波数領域伝搬関数を決定するステップを含む。
(14)上記(10)の方法であって、
更に、周波数領域における少なくとも一つの較正および補正された残響信号を決定するステップを含む。
(15)上記(10)の方法であって、
更に、少なくとも一つのワイヤ口径の周波数領域インピーダンスを決定するステップを含む。
(16)上記(10)の方法であって、
更に、ＣＰＥモデムの送信インピーダンスを決定するステップを含む。
(17)上記(10)の方法であって、
更に、ＣＯモデムの受信インピーダンスを決定するステップを含む。
(18)上記(10)の方法であって、
更に、前記伝送ラインの所定部分に対する周波数領域応答を表す行列を決定するステップを含む。
(19)上記(10)の方法であって、
更に、前記少なくともひとつのブリッジタップの応答を表す行列を決定するステップを含む。
(20)上記(10)の方法であって、
更に、ソースおよび負荷経路のためのアナログフロントエンド回路を表す行列を決定するステップを含む。
(21)上記(10)の方法であって、
更に、ＣＯモデムおよびＣＰＥモデムの少なくとも一つの識別子を決定するステップを含む。
(22)上記(10)の方法であって、
更に、前記伝送ラインの推定ループ長を出力するステップを含む。
(23)上記(10)の方法であって、
更に、前記伝送ラインに対する推定ブリッジタップ長を出力するステップを含む。
(24)伝送ラインに対するループ長および少なくともひとつのブリッジタップを決定する情報を備える情報記録媒体であって、以下を備える：
チャンネルインパルス応答を推定する情報と；
理論的チャンネルインパルス応答を決定する情報と；
前記理論的チャンネルインパルス応答と前記推定チャンネルインパルス応答との間の差を監視する情報と；
エラー最小化関数に基づき前記ループ長および少なくともひとつのブリッジタップを決定する情報。
(25)上記(24)の情報記憶媒体であって、
更に、残響信号に基づき前記伝送ラインの伝達関数を決定する情報を含む。
(26)上記(25)の情報記憶媒体であって、
前記伝達関数は、前記残響信号の所定数の継続フレームを平均することに基づき決定される。
(27)上記(24)の情報記憶媒体であって、
更に、少なくとも一つのワイヤ口径に対して周波数領域伝搬関数を決定する情報を含む。
(28)上記(24)の情報記憶媒体であって、
更に、周波数領域における少なくとも一つの較正および補正された残響信号を決定する情報を含む。
(29)上記(24)の情報記憶媒体であって、
更に、少なくとも一つのワイヤ口径の周波数領域インピーダンスを決定する情報を含む。
(30)上記(24)の情報記憶媒体であって、
更に、ＣＰＥモデムの送信インピーダンスを決定する情報を含む。
(31)上記(24)の情報記憶媒体であって、
更に、ＣＯモデムの受信インピーダンスを決定する情報を含む。
(32)状気宇(24)の情報記憶媒体であって、
更に、前記伝送ラインの所定部分に対する周波数領域応答を表す行列を決定する情報を含む。
(33)上記(24)の情報記憶媒体であって、
更に、前記少なくとも一個のブリッジタップの応答を表す行列を決定する情報を含む。
(34)上記(24)の情報記憶媒体であって、
更に、ソースおよび負荷経路のためのアナログフロントエンド回路を表す行列を決定する情報を含む。
(35)上記(24)の情報記憶媒体であって、
更に、ＣＯモデムおよびＣＰＥモデムの少なくとも一つの識別子を決定する情報を含む。
(36)上記(24)の情報記憶媒体であって、
更に、前記伝送ラインの推定ループ長を出力する情報を含む。
(37)上記(24)の情報記憶媒体であって、
更に、前記伝送ラインに対する推定ブリッジタップ長を出力する情報を含む。